(57)【特許請求の範囲】
【請求項１】
少なくとも一方の筒端に導入開口を備えた筒状をなす雌バックルと、この雌バックルの導入開口より当該雌バックル内に差し込まれる差込部とを備えた雄バックルとを備えており、
前記雄バックルの差込部が、中脚と、この中脚の両側にそれぞれ設けられた弾性脚とを備えていると共に、この弾性脚の前記中脚に向き合う側と反対の側には掛合突部が形成されており、
前記雌バックルが、この雌バックルにおける向き合った二組の内壁のうちの一方の組の内壁に前記差込部の差し込み操作に伴って前記掛合突部を押し当てて内向きに弾性変形される前記弾性脚の当該掛合突部を、所定の差し込み位置で当該弾性脚の弾発により入り込ませ掛合させる掛合窓を備えていると共に、
この雌バックルが、前記差し込み操作において前記中脚を間に収めて案内する一対の仕切板部を、当該雌バックルにおける向き合った二組の内壁のうちの他方の組の内壁間に亘って備えており、
雄バックルの差込部が、中脚と弾性脚との間に、雌バックルにおける二組の内壁のうちの仕切板部が亘っている内壁間にほぼ密に納まる厚さを備えた阻止部を備えていると共に、
この阻止部が、雄バックルの差込部の差し込み方向に長く形成してあることを特徴とするバックル。
【請求項２】
少なくとも一方の筒端に導入開口を備えた筒状をなす雌バックルと、この雌バックルの導入開口より当該雌バックル内に差し込まれる差込部とを備えた雄バックルとを備えており、
前記雄バックルの差込部が、中脚と、この中脚の両側にそれぞれ設けられた弾性脚とを備えていると共に、この弾性脚の前記中脚に向き合う側と反対の側には掛合突部が形成されており、
前記雌バックルが、この雌バックルにおける向き合った二組の内壁のうちの一方の組の内壁に前記差込部の差し込み操作に伴って前記掛合突部を押し当てて内向きに弾性変形される前記弾性脚の当該掛合突部を、所定の差し込み位置で当該弾性脚の弾発により入り込ませ掛合させる掛合窓を備えていると共に、
この雌バックルが、前記差し込み操作において前記中脚を間に収めて案内する一対の仕切板部を、当該雌バックルにおける向き合った二組の内壁のうちの他方の組の内壁間に亘って備えており、
雄バックルの差込部が、中脚と弾性脚との間に、雌バックルの掛合窓に入り込んだ掛合突部と当該掛合窓との掛合を解く位置を越えて当該掛合窓を通じて前記弾性脚が内向きに撓み込ませ操作された際に、当該弾性脚における前記中脚に向き合う側に突き当たって当該弾性脚の撓み込みを阻止する阻止部を備えていると共に、
この阻止部が、雌バックルにおける二組の内壁のうちの仕切板部が亘っている内壁間にほぼ密に納まる厚さを備え、かつ、雄バックルの差込部の差し込み方向に長く形成してあることを特徴とするバックル。
【発明の詳細な説明】
【０００１】
【発明の属する技術分野】
この発明は、筒状をなす雌バックルと、この雌バックル内に差し込まれ掛合される差込部を介して当該雌バックルに掛合される雄バックルとからなり、当該雄バックルに取り付けられた部材ないし物品と当該雌バックルに取り付けられた部材ないし物品とを前記掛合により当該両バックルを介して連結し合わせるバックルの改良に関する。
【０００２】
【従来の技術】
中脚および当該中脚の両側に設けられた弾性脚とからなる差込部を備えた雄バックルと、この雄バックルの差込部を前記弾性脚を内向きに撓み込ませながら受け入れると共に、所定の差し込み位置での当該弾性脚の弾み戻しにより当該弾性脚に設けた掛合突部を受け入れ当該掛合突部に掛合される掛合窓を備えた筒状をなす雌バックルとから構成されるバックルがある。
【０００３】
かかるバックルは、雌バックルの掛合窓への雄バックルの弾性脚の掛合突部の前記掛合をもって両バックルの連結をなして当該両バックルを介してバンドなどの連結をなし、また、この掛合窓を通じて当該掛合突部を押圧して前記弾性脚を再び内向きに撓み込ませることにより、当該掛合突部と掛合窓との掛合を解いて当該雌バックル内から雄バックルの差込部を抜き出し操作でき、これをもって両バックルの分離をなして前記ベルトなどの連結を解除なすものである。
【０００４】
【発明が解決しようとする課題】
しかるに、従来のこの種のバックルにあっては、前記雌バックルが前記掛合窓を備えた単純な筒状に構成されているため、当該雌バックル内に雄バックルの差込部が差し入れられていない前記両バックルの分離状態において、当該雌バックルに対し当該雌バックルを押しつぶすような力が作用された場合の当該雌バックルの強度の向上に限界を有するものであった。
【０００５】
そこでこの発明は、この種のバックルにおける雌バックルの強度を、当該バックルの機能を損なわず、しかも、構造の複雑化を招くことなく、向上させることを主たる目的とする。
【０００６】
【課題を解決するための手段】
前記目的を達成するために、請求項１記載の発明にあっては、バックルが以下の（１）〜（６）の構成を備えたものとした。
（１）少なくとも一方の筒端に導入開口を備えた筒状をなす雌バックルと、この雌バックルの導入開口より当該雌バックル内に差し込まれる差込部とを備えた雄バックルとを備えており、
（２）前記雄バックルの差込部が、中脚と、この中脚の両側にそれぞれ設けられた弾性脚とを備えていると共に、この弾性脚の前記中脚に向き合う側と反対の側には掛合突部が形成されており、
（３）前記雌バックルが、この雌バックルにおける向き合った二組の内壁のうちの一方の組の内壁に前記差込部の差し込み操作に伴って前記掛合突部を押し当てて内向きに弾性変形される前記弾性脚の当該掛合突部を、所定の差し込み位置で当該弾性脚の弾発により入り込ませ掛合させる掛合窓を備えていると共に、
（４）この雌バックルが、前記差し込み操作において前記中脚を間に収めて案内する一対の仕切板部を、当該雌バックルにおける向き合った二組の内壁のうちの他方の組の内壁間に亘って備えており、
（５）雄バックルの差込部が、中脚と弾性脚との間に、雌バックルにおける二組の内壁のうちの仕切板部が亘っている内壁間にほぼ密に納まる厚さを備えた阻止部を備えていると共に、
（６）この阻止部が、雄バックルの差込部の差し込み方向に長く形成してある。
また、前記目的を達成するために、請求項２記載の発明にあっては、バックルが以下の（１）〜（６）の構成を備えたものとした。
（１）少なくとも一方の筒端に導入開口を備えた筒状をなす雌バックルと、この雌バックルの導入開口より当該雌バックル内に差し込まれる差込部とを備えた雄バックルとを備えており、
（２）前記雄バックルの差込部が、中脚と、この中脚の両側にそれぞれ設けられた弾性脚とを備えていると共に、この弾性脚の前記中脚に向き合う側と反対の側には掛合突部が形成されており、
（３）前記雌バックルが、この雌バックルにおける向き合った二組の内壁のうちの一方の組の内壁に前記差込部の差し込み操作に伴って前記掛合突部を押し当てて内向きに弾性変形される前記弾性脚の当該掛合突部を、所定の差し込み位置で当該弾性脚の弾発により入り込ませ掛合させる掛合窓を備えていると共に、
（４）この雌バックルが、前記差し込み操作において前記中脚を間に収めて案内する一対の仕切板部を、当該雌バックルにおける向き合った二組の内壁のうちの他方の組の内壁間に亘って備えており、
（５） 雄バックルの差込部が、中脚と弾性脚との間に、雌バックルの掛合窓に入り込んだ掛合突部と当該掛合窓との掛合を解く位置を越えて当該掛合窓を通じて前記弾性脚が内向きに撓み込ませ操作された際に、当該弾性脚における前記中脚に向き合う側に突き当たって当該弾性脚の撓み込みを阻止する阻止部を備えていると共に、
（６）この阻止部が、雌バックルにおける二組の内壁のうちの仕切板部が亘っている内壁間にほぼ密に納まる厚さを備え、かつ、雄バックルの差込部の差し込み方向に長く形成してある。
【０００７】
かかる構成によれば、前記雄バックルの中脚を間に納めて当該雄バックルの差込部の差し込みを案内する前記一対の仕切板部を利用して筒状をなす前記雌バックルをその内部において支えることができ、バックルの機能を損なうことなく当該雌バックルの強度を向上させることができる。
【０００８】
また、請求項１記載の発明にあっては、雄バックルの差込部が、中脚と弾性脚との間に、雌バックルにおける二組の内壁のうちの仕切板部が亘っている内壁間にほぼ密に納まる厚さを備えた阻止部を備えていることから、前記雌バックル内に雄バックルの差込部を差し入れた両バックルの掛合状態において、当該差込部を雌バックル内にガタつきなく収めることができると共に、雌バックルの筒軸を巡る向きに作用される当該差込部を捻り回す向きの外力が加えられても両バックルの掛合状態を安定的に保つことができる。
【００１０】
また、請求項２記載の発明にあっては、雄バックルの差込部が、中脚と弾性脚との間に、雌バックルの掛合窓に入り込んだ掛合突部と当該掛合窓との掛合を解く位置を越えて当該掛合窓を通じて前記弾性脚が内向きに撓み込ませ操作された際に、当該弾性脚における前記中脚に向き合う側に突き当たって当該弾性脚の撓み込みを阻止する阻止部を備えていることから、前記掛合窓と掛合突部との掛合を解くための前記弾性脚の内向きへの撓み込ませ操作による当該弾性脚の変形量を、前記弾性脚の所定の撓み込み位置において当該弾性脚に前記阻止部を突き当てさせることにより一定に保つことができ、当該弾性脚を撓み込ませ操作に支障のない剛性としながら、当該弾性脚の過剰な変形操作から生じる当該弾性脚の予期しない変形や破損を十分に防止することができる。
【００１２】
また、請求項２記載の発明にあっては、阻止部が、雌バックルにおける二組の内壁のうちの仕切板部が亘っている内壁間にほぼ密に納まる厚さを備えるように構成してあることから、前記雌バックル内に雄バックルの差込部を差し入れた両バックルの掛合状態において、当該差込部を雌バックル内にガタつきなく収めることができると共に、雌バックルの筒軸を巡る向きに作用される当該差込部を捻り回す向きの外力が加えられても両バックルの掛合状態を安定的に保つことができる。
【００１４】
さらに、請求項１及び請求項２記載のバックルにおける阻止部はいずれも、雄バックルの差込部の差し込み方向に長まるように形成してあることから、前記雌バックルの筒軸方向に沿った広い範囲で当該阻止部を雌バックルの前記内壁間にほぼ密に収めて、前記ガタつきなどをより効果的に防止することができる。
【００１６】
【発明の実施の形態】
以下、図１ないし図２８に基づいて、この発明の典型的な実施の形態について説明する。
【００１７】
なお、ここで図１および図２は、バックルを構成する雌バックルＦＢと雄バックルＭＢとを分離して斜視の状態で示している。また、図３ないし図１０は、両バックルＦＢ、ＭＢを掛合させた状態をそれぞれ示しており、また、図１１ないし図１６は雄バックルＭＢを、図１７ないし図２３は雌バックルＦＢをそれぞれ示している。
【００１８】
また、図２４および図２５は、ベルトを取り付けた両バックルＦＢ、ＭＢを掛合させる向きに分離して位置づけた状態を、図２６は、図２４の状態から雄バックルＭＢの差込部２０を雌バックルＦＢ内に入れ込み始めた状態を、図２７は、図２６の状態から両バックルＦＢ、ＭＢを掛合させ合わせた状態を、図２８は、図２６の掛合状態を解くように雌バックルＦＢの掛合窓１６を通じて雄バックルＭＢの弾性脚２３を内向きに撓み込ませた状態を、それぞれ示している。
【００１９】
この実施の形態にかかるバックルは、少なくとも一方の筒端に導入開口１０を備えた筒状をなす雌バックルＦＢと、この雌バックルＦＢの導入開口１０より当該雌バックルＦＢ内に差し込まれる差込部２０とを備えた雄バックルＭＢとを備えており、かかる差込部２０の差し込みにより両バックルＦＢ、ＭＢを掛合させ合わせて当該雄バックルＭＢに取り付けられた部材ないし物品と当該雌バックルＦＢに取り付けられた部材ないし物品とを当該両バックルＦＢ、ＭＢを介して連結し合わせるために用いられるものである。
【００２０】
この実施の形態にあっては、前記両バックルＦＢ、ＭＢにそれぞれ、バンドＷの取付部１１、２１が形成してあり、この取付部１１、２１をもって両バックルＦＢ、ＭＢにそれぞれ取り付けられたバンドＷを当該両バックルＦＢ、ＭＢの前記掛合により連結し合わせるように構成してある。
【００２１】
すなわち、この実施の形態にあっては、前記雌バックルＦＢが、横長の前記導入開口１０を備える扁平筒状に構成してあると共に、この導入開口１０と反対の側の筒端に横長の奥側開口１２を備えている。そして、この奥側開口１２側に、この奥側開口１２を巡る両幅狭側の開口縁部よりそれぞれ突き出す側板１１ａと、この一対の側板１１ａ、１１ａ間に亘って設けられたバンドＷの巻き掛け桿１１ｂとにより構成される当該バンドＷの取付部１１を備えている。
【００２２】
また、前記雄バックルＭＢが、前記差込部２０を一辺部（以下、フロントバー２１ｂという。）外側に一体に備えた略方形の枠状体２１ａと、この枠状体２１ａの当該一辺部に隣り合う向き合った一対の辺部間に亘るバンドＷの巻き掛け桿２１ｃとにより構成される当該バンドＷの取付部２１を備えている。
【００２３】
なお、この実施の形態にあっては、かかる雄バックルＭＢの取付部２１における巻き掛け桿２１ｃと前記枠状体２１ａにおけるフロントバー２１ｂに対向した辺部（以下、エンドバー２１ｅという。）間に形成されるバンドＷの挿通路２１ｇが、当該枠状体２１ａの一方の開放側からのバンドＷの抵抗のない挿通を斜め向きに許容するように形成してある。そして、前記巻き掛け桿２１ｃとフロントバー２１ｂとの間に前記枠状体２１ａの他方の開放側から挿通された後、前記一方の開放側から前記挿通路２１ｇに挿通されて他方の開放側から再び引き出された前記バンドＷにテンションが作用されればされるほど、当該他方の開放側にある前記エンドバー２１ｅのコーナーエッジ２１ｆと、前記一方の開放側にある前記巻き掛け桿２１ｃの当該エンドバー２１ｅ側に向けられたコーナーエッジ２１ｄとがそれぞれ、前記バンドＷに押し付けられる構成としてある。これにより、この実施の形態にあっては、前記雄バックルＭＢの取付部２１を構成する前記枠状体２１ａに前記のようにバンドＷを挿通することにより、このバンドＷの適切な取り付けをなすことができると共に、このように挿通されたバンドＷのテンションの解いた状態では前記挿通路２１ｇの傾斜方向に沿ったバンドＷの移動をなすことができ、バンドＷの長さ方向に沿った雄バックルＭＢの取り付け位置の変更を容易になすことが可能とされている。
【００２４】
また、前記雄バックルＭＢの差込部２０は、
（１）前記フロントバー２１ｂの長さ方向ほぼ中程の位置から突き出す中脚２２と、
（２）この中脚２２との間にそれぞれほぼ等しい間隔を開けて、前記フロントバー２１ｂの両末端部より当該中脚２２と同じ向きにそれぞれ突き出す弾性脚２３と、
（３）当該中脚２２と一対の弾性脚２３、２３との間においてそれぞれ、当該中脚２２と同じ向きに突き出す、前記差込部２０の差し込み方向に長まる脚状をなす阻止部２４とを備えている。
【００２５】
この実施の形態にあっては、かかる中脚２２は、幅広の側面２２ｂと幅狭の上下端面２２ａとを備えた細長い板状をなすように構成されている。また、前記弾性脚２３および阻止部２４も、幅広の側面２３ｂ、２４ｂと幅狭の上下端面２３ａ、２４ａとを備えた細長い板状をなすように構成されていると共に、その幅広の側面２３ｂ、２４ｂを前記中脚２２の幅広の側面２２ｂと同じ向きに配するように設けられている。
【００２６】
また、この実施の形態にあっては、前記中脚２２よりも前記弾性脚２３がやや短く、また、前記阻止部２４は当該中脚２２のほぼ半分の長さとなるように構成されている。
【００２７】
また、この実施の形態にあっては、前記中脚２２の基部側と阻止部２４の基部側との間に亘って、ひれ状をなす補強片２５が設けられている。また、この補強片２５には、前記雌バックルＦＢに雄バックルＭＢの差込部２０を差し入れた際に、後述する雌バックルＦＢの仕切板部２５ａの前記導入開口１０側が納まる切欠部２５ａが形成されている。
【００２８】
また、前記弾性脚２３の前記中脚２２に向き合う側と反対の側には、前記雌バックルＦＢへの雄バックルＭＢの差込部２０の所定の差し込み位置への差し込みに伴って、後述する当該雌バックルＦＢの掛合窓１６に掛合される掛合突部２３ｃが形成されている。
【００２９】
この実施の形態にあっては、かかる弾性脚２３の先端側に当該掛合突部２３ｃが形成してある。かかる掛合突部２３ｃは、前記弾性脚２３の末端から基部側に向けて当該弾性脚２３を前記中脚２２に向き合わない側において次第に太める傾斜側面２３ｄと、この掛合突部２３ｃの前記弾性脚２３の基部側において前記フロントバー２１ｂの外面に向き合うように形成された掛合面２３ｅとを備えている。
【００３０】
一方、この実施の形態にあっては、前記雌バックルＦＢは、上下に幅広板部１４を左右に幅狭板部１５を備えた扁平の方形筒状に構成されており、向き合った二組の内壁１４ａ、１４ａ・１５ａ、１５ａを備えている。
【００３１】
そして、かかる雌バックルＦＢは、
（１）前記導入開口１０との間に間隔を開けて、両幅狭板部１５、１５にそれぞれ設けられた切欠部１５ｂと、この切欠部１５ｂに連続して前記両幅広板部１４、１４にそれぞれ設けられた切欠部１４ｂとにより構成される前記雄バックルＭＢの弾性脚２３の掛合突部２３ｃの掛合窓１６と、
（２）当該雌バックルＦＢの左右方向ほぼ中程の位置において前記雄バックルＭＢの中脚２２を導入する間隔を形成するように配されると共に、前記両幅広板部１４、１４の内壁間に亘る幅を備えた一対の仕切板部２５ａ、２５ａとを備えている。
【００３２】
この実施の形態にあっては、かかる一対の仕切板部２５ａ、２５ａはそれぞれ、前記奥側開口１２の開口縁から導入開口１０側に向けて延び、この導入開口１０縁とこの導入開口１０側にある仕切板部２５ａの縁部との間に間隔が開けられるように構成してある。また、かかる一対の仕切板部２５ａ、２５ａはそれぞれ、その長さ方向に亙る縁部を前記両幅広板部１４、１４の内壁に一体に接合させている。
【００３３】
この結果、この実施の形態にあっては、前記雌バックルＦＢの前記両幅広板部１４、１４を、前記一対の仕切板部２５ａ、２５ａによって筒状をなす当該雌バックルＦＢの中央部において支えることができ、バックルの機能を損なうことなく当該雌バックルＦＢの強度を向上させることができる。
【００３４】
また、かかる雌バックルＦＢにおける前記両幅狭板部１５、１５の内壁１５ａは、前記導入開口１０と掛合窓１６との間において、当該導入開口１０側から掛合窓１６側に向かうに連れて次第に当該雌バックルＦＢの中心に近付く向きに傾斜した構成としてある。
【００３５】
そして、この実施の形態にあっては、
（１）前記雌バックルＦＢの導入開口１０から、前記中脚２２を前記一対の仕切板部２５ａ、２５ａ間に入れ込む向きで当該雌バックルＦＢ内に雄バックルＭＢの差込部２０を入れ込むことができるようにしてあると共に、（図２６）
（２）このように入れ込まれた当該差込部２０を構成する前記一対の弾性脚２３、２３がそれぞれ、前記掛合突部２３ｃの傾斜側面２３ｄを前記雌バックルＦＢの傾斜した両幅狭板部１５、１５の内壁１５ａに摺接させて、雌バックルＦＢ内の奥に差し込まれるに連れて次第に内向きに弾性変形される構成としてある。（図２６）
（３）そして、このように内向きに弾性変形された前記一対の弾性脚２３、２３がそれぞれ、前記掛合窓１６に前記掛合突部２３ｃを入り込ませる差し込み位置において弾性復帰して当該掛合窓１６に当該掛合突部２３ｃを弾み入れる構成としてあると共に、（図２７）
（４）このように掛合窓１６に弾み入れられた前記掛合突部２３ｃの前記掛合面２３ｅが前記導入開口１０側にある当該掛合窓１６の窓縁に掛合される構成としてある。（図２７）
（５）また、このように掛合突部２３ｃが掛合窓１６に掛合された状態から、当該掛合窓１６を通じて当該掛合窓１６に入り込んだ掛合突部２３ｃを雌バックルＦＢの内側に向けて押圧操作することにより、前記一対の弾性脚２３、２３を再び打ち向きに弾性変形させて、当該掛合窓１６と掛合突部２３ｃとの掛合を解き、当該雌バックルＦＢ内から雄バックルＭＢの差込部２０を抜き出すことができるようにしてある。（図２８）
（６）また、この実施の形態にあっては、前記雌バックルＦＢ内への雄バックルＭＢの差込部２０の差し込みに伴って、前記仕切板部２５ａの外側に前記阻止部２４が入り込む構成としてある。
（７）そして、前記掛合窓１６と掛合突部２３ｃとの掛合を解く位置を越えて当該掛合突部２３ｃの前記押圧操作により前記弾性脚２３が内向きに撓み込まされた際に、前記阻止部２４の先端側が当該弾性脚２３の前記中脚２２に向き合う側に突き当たり、当該弾性脚２３が内向きに過剰に変形操作されることを阻止するようにしてある。（図２８）
【００３６】
この結果、この実施の形態にかかるバックルによれば、前記掛合窓１６と掛合突部２３ｃとの掛合を解くための前記弾性脚２３の内向きへの撓み込ませ操作による当該弾性脚２３の変形量を一定に保つことができ、当該弾性脚２３を撓み込ませ操作に支障のない剛性としながら、当該弾性脚２３の過剰な変形操作から生じる当該弾性脚２３の予期しない変形や破損を十分に防止することができる。
【００３７】
また、この実施の形態にあっては、前記中脚２２の上下端面２２ａ、２２ａ間の寸法が、前記一対の仕切板部２５ａ、２５ａの間において、前記雌バックルＦＢの両幅広板部１４、１４の内壁１４ａ間にほぼ密に納まる寸法としてある。また、かかる中脚２２は、前記一対の仕切板部２５ａ、２５ａの内面間に若干の隙間を開けて納まる構成としてある。
【００３８】
それと共に、前記阻止部２４の上下端面２４ａ、２４ａ間の寸法（厚さ）が、前記仕切板部２５ａの外側において、前記雌バックルＦＢの両幅広板部１４、１４の内壁１４ａ間にほぼ密に納まる寸法としてある。
【００３９】
この結果、この実施の形態にかかるバックルによれば、前記雌バックルＦＢ内に雄バックルＭＢの差込部２０を差し入れた両バックルＦＢ、ＭＢの掛合状態において、当該差込部２０を雌バックルＦＢ内にガタつきなく収めることができると共に、雌バックルＦＢの筒軸を巡る向きに作用される当該差込部２０を捻り回す向きの外力が加えられても両バックルＦＢ、ＭＢの掛合状態を安定的に保つことができる。
【００４０】
特に、この実施の形態にあっては、前記阻止部２４が前記雄バックルＭＢの差し込み方向に長まるように構成してあることから、前記雌バックルＦＢの筒軸方向に沿った広い範囲で当該阻止部２４の上下端面２４ａ、２４ａを雌バックルＦＢの両幅広板部１４、１４の内壁１４ａ間にほぼ密に収めて、前記ガタつきなどをより効果的に防止することができる。
【００４１】
なお、この実施の形態にあっては、前記雄バックルＭＢの前記フロントバー２１ｂの外面が前記雌バックルＦＢの導入開口１０縁に突き当たる位置まで、当該雌バックルＦＢ内に当該雄バックルＭＢの前記差込部２０を差し込むことができる構成としてある。（図２７）
【００４２】
また、この実施の形態にあっては、前記一対の仕切板部２５ａ、２５ａ間にある前記雌バックルＦＢの両幅広板部１４、１４にそれぞれ、前記導入開口１０縁から奥側開口１２縁に亙る長さと、前記中脚２２を収める幅とを備えた溝１７が形成されていると共に、当該仕切板部２５ａの導入開口１０側の端部と導入開口１０との間において、この溝１７が導入開口１０縁に向かうに連れて次第に溝幅を広くするように形成してあり、この溝１７を通じて前記一対の仕切板部２５ａ、２５ａ間に前記中脚２２を導き入れ易くしてある。
【００４３】
なお、以上に説明したバックルを構成する雄バックルＭＢの弾性脚２３に所用の弾性変形特性を付与することは、典型的には当該雄バックルＭＢをプラスチック材料を用いて射出成形などのプラスチック成形により形成することにより確保することができる。
【００４４】
【発明の効果】
この発明にかかるバックルによれば、筒状をなす雌バックルの強度を、バックルの機能を損なわず、しかも、構造の複雑化を招くことなく、向上させることができる。
【図面の簡単な説明】
【図１】バックルの分離斜視図
【図２】図１と異なる向きでのバックルの分離斜視図
【図３】掛合状態を示す平面図
【図４】掛合状態を示す正面図
【図５】掛合状態を示す左側面図
【図６】掛合状態を示す右側面図
【図７】掛合状態を示す底面図
【図８】図３におけるＡ−Ａ線断面図
【図９】図４におけるＣ−Ｃ線断面図
【図１０】図３におけるＢ−Ｂ線断面図
【図１１】雄バックルＭＢの平面図
【図１２】雄バックルＭＢの正面図
【図１３】雄バックルＭＢの左側面図
【図１４】雄バックルＭＢの右側面図
【図１５】雄バックルＭＢの底面図
【図１６】図１１におけるＤ−Ｄ線断面図
【図１７】雌バックルＦＢの平面図
【図１８】雌バックルＦＢの正面図
【図１９】雌バックルＦＢの左側面図
【図２０】雌バックルＦＢの右側面図
【図２１】図１７におけるＦ−Ｆ線断面図
【図２２】図１８におけるＧ−Ｇ線断面図
【図２３】図１７におけるＥ−Ｅ線断面図
【図２４】使用状態を示す一部破断平面図（分離状態）
【図２５】使用状態を示す断面図（分離状態）
【図２６】使用状態を示す一部破断平面図
【図２７】使用状態を示す一部破断平面図（掛合状態）
【図２８】使用状態を示す一部破断平面図（掛合解除操作状態）
【符号の説明】
ＦＢ  雌バックル
ＭＢ  雄バックル
１０  導入開口
１３  仕切板部
１４ａ  内壁
１５ａ  内壁
１６  掛合窓
２０  差込部
２２  中脚
２３  弾性脚
２３ｃ  掛合突部
【図１】
0004299941.tif 000002
【図２】
0004299941.tif 000003
【図３】
0004299941.tif 000004
【図４】
0004299941.tif 000005
【図５】
0004299941.tif 000006
【図６】
0004299941.tif 000007
【図７】
0004299941.tif 000008
【図８】
0004299941.tif 000009
【図９】
0004299941.tif 000010
【図１０】
0004299941.tif 000011
【図１１】
0004299941.tif 000012
【図１２】
0004299941.tif 000013
【図１３】
0004299941.tif 000014
【図１４】
0004299941.tif 000015
【図１５】
0004299941.tif 000016
【図１６】
0004299941.tif 000017
【図１７】
0004299941.tif 000018
【図１８】
0004299941.tif 000019
【図１９】
0004299941.tif 000020
【図２０】
0004299941.tif 000021
【図２１】
0004299941.tif 000022
【図２２】
0004299941.tif 000023
【図２３】
0004299941.tif 000024
【図２４】
0004299941.tif 000025
【図２５】
0004299941.tif 000026
【図２６】
0004299941.tif 000027
【図２７】
0004299941.tif 000028
【図２８】
0004299941.tif 000029